(57)【特許請求の範囲】
【請求項１】
複数の表示部の各表示部に対してそれぞれに与えられた変数に基づく設定の映像を出力する情報処理部と、
任意の表示部に出力された映像の設定を変更したときの、視聴者の反応を取得する反応取得装置より得られる前記視聴者の反応情報に応じて、映像の設定を変更する表示部及び前記映像の設定を決定し、前記映像の設定を変更する表示部の情報と前記映像の設定に応じた変数を前記情報処理部に出力する刺激反応推定部と、を備え、
前記刺激反応推定部は、前記反応取得装置で取得された前記視聴者の反応情報に基づいて、前記映像の設定が変更された第１の表示部に表示された映像の情報量と前記第１の表示部に隣接する第２の表示部に表示された映像の情報量の偏りを、前記視聴者が前記第１の表示部に表示された映像を視聴した時間と前記第２の表示部に表示された映像を視聴した時間に基づいて判別し、前記判別の結果に応じて、前記映像の設定を変更する表示部の情報と当該映像の設定を推定する
ことを特徴とする情報提示装置。
【請求項２】
前記第１の表示部及び前記第２の表示部間において表示された映像の情報量の偏りが減少した場合、前記映像の設定を変更したときと同方向の変数を与えることにより情報量の偏りがさらに減少すると推定し、
また前記第１の表示部及び前記第２の表示部間において表示された映像の情報量の偏りが減少しなかった場合、前記映像の設定を変更したときと逆方向の変数を与えることにより情報量の偏りがさらに減少すると推定する
請求項１に記載の情報提示装置。
【請求項３】
前記刺激反応推定部からの刺激付加指示に基づいて、前記情報処理部から所定の表示部へ出力される映像について設定の変更を行う刺激付加部をさらに備える、
請求項２に記載の情報提示装置。
【請求項４】
前記映像の設定は前記表示部に出力する映像の再生速度についての設定であり、前記再生速度の大小は前記変数の値により決定される
請求項３に記載の情報提示装置。
【請求項５】
複数の表示部の各表示部に対してそれぞれに与えられた変数に基づく設定の映像を情報処理部から出力するステップと、
前記情報処理部から任意の表示部に出力された映像の設定を変更するステップと、
前記映像の設定を変更後に、視聴者の反応を取得する反応取得装置より得られる前記視聴者の反応情報を取得するステップと、
前記視聴者の反応情報に応じて、映像の設定を変更する表示部及び前記映像の設定を刺激反応推定部で決定し、前記決定した映像の設定を変更する表示部の情報と前記映像の設定に応じた変数を、前記刺激反応推定部から前記情報処理部へ出力するステップと、を含み、
前記刺激反応推定部は、前記反応取得装置で取得された前記視聴者の反応情報に基づいて、前記映像の設定が変更された第１の表示部に表示された映像の情報量と前記第１の表示部に隣接する第２の表示部に表示された映像の情報量の偏りを、前記視聴者が前記第１の表示部に表示された映像を視聴した時間と前記第２の表示部に表示された映像を視聴した時間に基づいて判別し、前記判別の結果に応じて、前記映像の設定を変更する表示部の情報と当該映像の設定を推定する
情報提示方法。
【発明の詳細な説明】
【技術分野】
【０００１】
本発明は、例えば複数の表示装置に提示する情報の量や内容を、均等もしくは同一となるように調整する情報提示装置及び情報提示方法に関する。
【背景技術】
【０００２】
従来、複数の番組や再生映像を複数の画面（表示装置）で同時に視聴するとき、一般に、それぞれの番組や再生映像での単位時間内に取得可能な情報量が異なるため画面間で情報の偏りが生じてしまう。情報取得の効率を考慮すると、それぞれの画面で等しい情報量を提示した方が、使用者の情報取得効率や利便性が向上し、より良い。各画面に表示された番組間の情報量を揃える場合、番組の再生速度をそれぞれ調整することによって合わせることが可能である。
【０００３】
例えば、特許文献１には、動画像と音声を含む映像の中の映像特徴を検出し、この映像特徴に応じ自動的に再生速度を調整しながら、映像を再生する技術が開示されている。
【０００４】
【特許文献１】特開平１０−２４３３５１号公報
【発明の開示】
【発明が解決しようとする課題】
【０００５】
しかし、一般に、番組や再生映像の情報量は受け手の価値基準に多大な影響を受けるため、機械的な判断だけで情報量を決定し、再生速度を変更することは困難である。
【０００６】
例えば、脳波計や心電図、ＮＩＲＳ（Near-Infrared Spectroscopy）等の計測機器を用いて、得られた波形やデータから視聴者の内部状態を推測し、番組や再生映像の再生速度を変更することが考えられる。しかしながら、このような計測機器を用いた方法は、大掛かりな装置を必要とするため、使用者（視聴者）の負担が増大し、日常的な計測手段として利用することは困難であった。また、列挙したような計測装置を用意するにはコストがかかるため、一般の視聴者は利用することができなかった。
【０００７】
また、上述の計測機器を用いた方法のように、映像等の興味対象を提示したときの使用者の体の反応から、視聴者の内部状態を推定しようとする場合、さまざまな要因によって体の反応が現れるので、体の反応の原因を特定して使用者の内部状態を特定することは困難であった。
【０００８】
また、使用者の負担を軽減するため、上記使用者を拘束しない方法を用いて当該使用者の内部状態を推定しようとした場合、使用者の所望の反応を得ることが難しかった。
【０００９】
斯かる点に鑑み、この発明は、使用者の負担が少なく、かつ使用者が無意識に示す反応から、各画面に提示する情報の内容や量を調整することを目的とする。
【課題を解決するための手段】
【００１０】
上記課題を解決するため、本発明は、複数の表示部の各表示部に対してそれぞれに与えられた変数に基づく設定の映像を出力する情報処理部と、任意の表示部に出力された映像の設定を変更したときの、視聴者の反応を取得する反応取得装置より得られる視聴者の反応情報に応じて、映像の設定を変更する表示部及びその映像の設定を決定し、その映像の設定を変更する表示部の情報と映像の設定に応じた変数を情報処理部に出力する刺激反応推定部と、を備えることを特徴とする。
ここで、上記刺激反応推定部は、上記反応取得装置で取得された視聴者の反応情報に基づいて、映像の設定が変更された第１の表示部に表示された映像の情報量と該第１の表示部に隣接する第２の表示部に表示された映像の情報量の偏りを、視聴者が第１の表示部に表示された映像を視聴した時間と第２の表示部に表示された映像を視聴した時間に基づいて判別し、判別の結果に応じて、映像の設定を変更する表示部の情報と当該映像の設定を推定する。
【００１１】
上記構成によれば、表示部の表示内容を一時的に変化させ、そのときの使用者の反応情報を取得し、その反応情報に応じて使用者にとって適切な情報提示となるように、提示する情報量又は内容を調整できる。
【発明の効果】
【００１２】
本発明によれば、使用者の負担が少なく、かつ使用者が無意識に示す反応から、各画面に提示する情報量及び内容を調整することができる。さらには、表示装置に提示する情報の情報量又は内容の変化に対する無意識の反応を取得するので、使用者に負担をかけないで、使用者の内部状態を推定することができる。
【発明を実施するための最良の形態】
【００１３】
以下、本発明の一実施の形態を、添付図面を参照して説明する。以下に述べる実施の形態は、本発明の好適な具体例であるから、技術的に好ましい種々の限定が付されているが、本発明の範囲は、下記の説明において特に本発明を限定する旨の記載がない限り、これらの形態に限られるものではない。例えば、以下の説明で挙げる各パラメータの数値的条件は好適例に過ぎず、説明に用いた各図における寸法、形状及び配置関係も概略的なものである。
【００１４】
本発明におけるシステムの概要を、図１に示してある。複数の番組Ａ，Ｂ，Ｃ（又は再生映像）を複数の画面（表示装置）で同時に視聴するとき、一般にそれぞれの番組や再生映像での情報量が異なるため画面間で情報の偏りが生じてしまう。なお、ここでいう情報量とは、絶対量ではなく、複数の画面間における相対的な情報量（もしくは情報量の多少）のことである。
【００１５】
本発明では、このような場合に、使用者（視聴者）Ｕが意識しないような範囲及び方法で、一時的に提示情報を変化させる刺激を与え、そのときの使用者Ｕの反応に関するデータ（以下、単に「反応」という）を計測する。そして、その計測結果に基づいて各画面での情報量の偏りを推定することよって、提示している情報量が多い画面は情報量を減らし、情報量が少ない画面は情報量を多くし、それぞれの画面での情報提示量が等しくなるよう再生速度をリアルタイムに調整する。これにより、使用者Ｕが複数の画面から効率よく情報を取得することを可能にする。
【００１６】
本発明の一実施の形態によるシステムの内部構成例について、図２に示すブロック図を参照して説明する。図２に示す情報処理装置１は、反応取得装置９から入力される使用者Ｕの反応を取得し、その反応に基づいて、表示装置（複数台）８へ提示する情報量及び内容を調整し、またリモートコントロール（以下、「リモコン」と称す）装置１０からのリモコン信号を受信する。この情報処理装置１には、情報蓄積部２と、情報処理部３と、レジスタ４と、刺激付加部５と、刺激反応推定部６と、リモコン受光部７と、が含まれる。
【００１７】
情報蓄積部２は、例えばＨＤＤ（Hard Disc Drive）で構成してあり、図示しない符号化・復号処理部で符号化された映像等の情報を記録、蓄積している。情報蓄積部２は、読み出した複数の情報（表示装置の台数分）を、情報処理装置３に入力する。
【００１８】
情報処理部３は、例えば、マイクロコンピュータ等から構成し、表示装置８に提示するために情報蓄積部２から読み出した情報の加工及び所定の制御を行う。例えば、複数ある表示装置８のうち、どの表示装置８にどの情報を提示するかを決定したり、情報の再生速度等を決定してその再生速度に変換したりする処理を行う。また、後述する刺激反応推定部６から使用者Ｕの内部状態（提示された情報に対する反応）が得られるので、使用者Ｕの状態に即して情報を加工する。そして、加工した情報は刺激付加部５へ入力する。
【００１９】
刺激付加部５は、後述する刺激反応推定部６から刺激を付加するよう指示があった場合、情報処理部３から出力される情報に刺激を付加する。刺激としては、例えば再生速度を変化させることや、映像の輝度を上げる、映像（画面サイズ）の大きさを変化させる、音量を上げる、などが挙げられる。そして、刺激付加部５は、刺激を付加した情報を含むそれぞれの情報を、複数の表示装置８にそれぞれ入力し、使用者Ｕに対して提示する。
【００２０】
情報が提示される表示装置８は、複数台からなり、例えば液晶ディスプレイ等で構成する。
【００２１】
反応取得装置９は、提示された情報に対する使用者Ｕの体の動きなどの反応を計測する手段である。この反応取得装置９は、接触式、非接触式のどちらでもよい。計測する対象（使用者Ｕの動き）としては、例えば、使用者Ｕの視線の動き、顔の動き、使用者Ｕの座っている回転椅子の動きなどが挙げられる。計測された使用者Ｕの反応は、刺激反応推定部９に入力される。
【００２２】
刺激反応推定部６では、提示情報に与えた刺激と得られた使用者Ｕの反応との関係から、使用者Ｕの内部状態を推定する。推定する内部状態としては、提示されている情報量（使用者Ｕの主観により判断）、使用者Ｕの嗜好、体調、感情などが挙げられる。推定された状態は、情報処理部３に送られ、使用者Ｕの状態が情報提示にフィードバック（還元）される。
【００２３】
レジスタ４は、演算や実行状態の保持に用いる記憶素子（記憶手段）であり、この例では、どの情報をどの表示装置に提示するかを示す提示先情報、後述する刺激モードの種類、再生速度等の刺激値、などを保持する。
【００２４】
リモコン受光部７は、リモコン装置１０から入力される赤外線（リモコン信号）を受光してこれを電気信号に変換し、当該電気信号をレジスタ４に送信する。レジスタ４に対しては、例えば、提示先情報、刺激モード及び再生速度等の情報を入力し、情報処理部３又は刺激付加部５に所定の演算を行わせる。
【００２５】
リモコン装置１０は、赤外線などの通信手段（リモコン信号）を用いて通信を行うようにしてある。リモコン装置１０の所定の操作キーを操作すると、リモコン装置１０から発光した赤外線が情報処理装置１のリモコン受光部７で受光され、所定の処理がなされる。本実施の形態では、リモコン装置１０を利用して、情報処理装置１に対し刺激モード等の指定が行える。リモコン装置１０の通信方式は無線でも有線でもよく、Ｂｌｕｅｔｏｏｔｈ（登録商標） などの電波方式でも構わない。
【００２６】
図３に、本発明の一実施の形態のシステム構成例を示している。本実施の形態では、使用者Ｕの前には２台の表示装置８Ａ，８Ｂが配置され、それぞれ番組Ａと番組Ｂを同時に提示する。使用者Ｕは、２つの番組から効率的に情報を取得する目的で視聴するものとする。なお、本実施の形態では、２画面（表示装置が２台）の場合について説明するが、図１に示すように３画面の場合、あるいはそれ以上の画面数に対しても適用できることは勿論である。
【００２７】
本実施の形態において、使用者Ｕの視線の動きは、視線取得装置９Ａによって計測され、どちらの画面を見ているのかを取得することができる。この視線取得装置９Ａは、図２に示した反応取得装置９の一例である。視線取得装置９Ａは、使用者Ｕの視線の位置を使用者Ｕの目の位置によって検出する。視線取得装置９Ａの配置は、例えば使用者Ｕと対面する位置等、使用者Ｕの視線を検出しやすい位置とする。なお、視線取得装置９Ａには、据え置き型の装置、使用者Ｕに着用させるタイプの視聴検出用眼鏡等がある。あるいは、遠方に設置した監視カメラによって使用者Ｕの視線の位置を検出させるようにしてもよい。
【００２８】
例えば、使用者Ｕは、表示装置８Ａに表示された映像（番組Ａ）を視聴しているときに、表示装置８Ｂにより興味のある又は刺激のある映像（情報Ｂ）が表示された場合、表示装置８Ａに表示された番組Ａから、より興味のある映像（番組Ｂ）が表示された表示装置８Ｂに視線を移すことになる。つまりこの場合、使用者Ｕの視線は表示装置８Ａから隣の表示装置８Ｂに移動することになる。視線取得装置９Ａは、このような場合における使用者Ｕの視線の位置もしくは視線の動きを検出し、検出結果を刺激反応推定部６に送出する。
【００２９】
ここで、「視聴時間の偏りＥ」という量を定義する。Ｎ台の表示装置があり、ｔ秒間のうち、それぞれの表示装置をＴｎ(ｎ＝１，・・・，Ｎ) 秒間ずつ見ていたとする。視聴時間の偏りＥは、各表示装置の視聴時間Ｔｎの標準偏差である。特定の表示装置だけ長く視聴していたり、ほとんど見ていない表示装置が存在したりすると、視聴時間の偏りＥは大きくなる。視聴時間の偏りＥは、それぞれの表示装置に提示されている情報量にばらつきがあると、大きくなる。
【００３０】
２画面での視聴時間の偏りＥの関係例の概略を、図４に示す。図４において、横軸に右画面（表示素装置８Ｂ）で提示される情報提示量と左画面（表示装置８Ａ）で提示される情報量との差、縦軸には視聴時間の偏りＥを取っている。２画面での視聴時間の偏りＥの特性は、下方向に凸形状を持つ曲線となる。左右の画面のうち一方の情報提示量が大きくなると（グラフ上の両端近傍）、使用者Ｕは、情報提示量の多い方の画面をよく見るので、視聴時間の偏りＥは大きくなる。逆に、情報提示量に差がないと（グラフ上の中央近傍）、使用者Ｕは、２つの画面を均等に見るので、視聴時間の偏りＥは小さくなる。視聴時間の偏りＥが小さい場合、使用者Ｕは左右の画面を均等に視聴することができるので、情報取得の面から効率が高いと考えられる。そこで、本実施の形態では、視聴時間の偏りＥを小さくするように、各表示装置への情報提示量を調整する。
【００３１】
次に、表示装置８Ａ，８Ｂの画面に提示する情報量の増減を決定するための方法について説明する。視聴時間の偏りＥを小さくしようとする場合、前述の表示装置８Ａ，８Ｂの視聴時間Ｔｎの多少に応じて、単純に再生速度を増減させればよいわけではない。一方の表示装置の視聴時間Ｔｎが、他の表示装置に比べて少ない場合、２つの可能性が考えられる。
（１）提示されている情報量が、使用者Ｕにとって少なすぎるのであまり見ない。
（２）提示されている情報量が、使用者Ｕにとって多すぎて取得できないため、そもそも見ない。
【００３２】
ここで、再生速度と使用者Ｕにとっての情報量の関係例を、図５に示す。図５において、横軸に提示された情報の再生速度、縦軸には使用者Ｕにとっての情報量（取得情報量）を取っている。使用者Ｕにとっての情報量の特性曲線は、おおよそ上方向に凸形状を持つ曲線となる。使用者Ｕが単位時間あたりに取得できる情報量は、再生速度の増加にともない上昇し、ある再生速度で使用者Ｕが取得できる情報量はピークを迎える。そして、再生速度が使用者Ｕの情報理解能力の限界を超えると、再生速度を増やして提示する情報量を増加させても、使用者Ｕが取得できる情報量は減少する。
【００３３】
この図５に示した使用者Ｕにとっての情報量の特性曲線から、ある表示装置の視聴時間Ｔｎが少ない場合の対策が、次のように考えられる。上記（１）の場合は、提示されている情報量が少ないので、再生速度を上げることによって情報量を増やすことができる。一方、上記（２）の場合では、再生速度を落とすことによって使用者Ｕが情報を取得しやすくなり、使用者Ｕにとっての情報量を増やすことができる。表示装置の視聴時間Ｔｎが少ない理由が（１）と（２）のいずれに該当するかは、単に視聴時間の偏りＥや視聴時間Ｔｎ を観測しただけではわからないため、刺激反応推定部６により、判別を行う必要がある。
【００３４】
図６は、その判別方法を説明するための、刺激前後の反応の関係例を示す図である。図６において、横軸に提示された情報の再生速度、縦軸には使用者Ｕにとっての情報量（取得情報量）を取っている。本実施の形態では、判別は再生速度を一時的に変化させる刺激を与えることによって行う。刺激を与える前の当該表示装置の視聴時間Ｔｎと、刺激を付与した後の当該表示装置の視聴時間Ｔｎを比較することにより、再生速度の増減と、使用者Ｕが感じた情報量の増減の関係を判別する。視聴時間Ｔｎの長短を、使用者Ｕが取得する情報量の多少の目安又は基準とすることができる。
【００３５】
例えば、図６に示す「刺激１」（傾きが正、右肩上がり）の場合は、再生速度を一時的に上げる刺激を与えた後に視聴時間Ｔｎが増加しているので、使用者Ｕが取得する情報量を上げるには再生速度を上げればよいということがわかる。反対に、「刺激２」（傾きが負、右肩下がり）の場合は、刺激を付与した後に視聴時間Ｔｎが減少しているので、再生速度を下げれば、使用者Ｕにとっての情報量を増加させることができることがわかる。
【００３６】
したがって、視聴時間の偏りＥを小さくしたい場合には、刺激を与える前後の視聴時間の偏りＥを比較し、刺激が視聴時間の偏りＥを増加させたのか減少させたのかを判別し、視聴時間の偏りＥが減少するように、当該表示装置へ提示する情報の再生速度を設定すればよい。
【００３７】
次に、情報処理装置１の刺激反応推定部６の動作ついて説明する。刺激反応推定部６は前述のような手法により、一時的に再生速度を変化させ（刺激を与え）、そのときの使用者Ｕの視線の変化（反応）を観測し、使用者Ｕの感じる情報量の、各画面間での偏りを減らすための再生速度の増減方向を推定する。
【００３８】
刺激反応推定部６による処理例を、図７のフローチャートを参照して説明する。まず刺激を与える前に、使用者Ｕが各画面をどのくらいの時間割合で視聴しているか（各画面の視聴時間Ｔｎ）を、視線検出装置９からの情報を基に計測する（ステップＳ１）。次に、計測した各画面の視聴時間Ｔｎから前述の定義（例えば、標準偏差等）に従って、視聴時間の偏りＥｐｒｅを計算する（ステップＳ２）。
【００３９】
続いて、刺激（再生速度の変化）を与える画面を選択する（ステップＳ３）。これは視聴時間Ｔｎが最も長かった画面でもよいし、最も短かった画面でもよいし、ランダムに選んでもよい。さらに、刺激として再生速度を上げるか下げるかを決定する（ステップＳ４）。これは例えば、視聴時間Ｔｎが最も短かった画面を選んだ場合には、再生速度を上げるなどルールを決めておいてもいいし、ランダムで再生速度の増減を決めてもよい。
【００４０】
そして、ステップＳ４の処理で決定した刺激を、刺激反応推定部６から刺激付加部５に通知して、表示装置８へ出力する情報に刺激を付加するよう指示する（ステップＳ５）。刺激付加部５が表示装置８へ出力する情報に刺激（再生速度を一時的に変化）を与えたら、刺激反応推定部６はその間の各画面の視聴時間Ｔｎを計測する（ステップＳ６）。
【００４１】
各画面の視聴時間Ｔｎの計測が終わったら、刺激付加部５に刺激を解除するように指示し（ステップＳ７）、刺激の付加を終了する。次に、計測した各画面の視聴時間Ｔｎから、刺激を与えていた間の視聴時間の偏りＥｐｏｓｔを計算する（ステップＳ８）。そして、刺激付与後の視聴時間の偏りＥｐｏｓｔと、刺激付与前の視聴時間の偏りＥｐｒｅを比較する（ステップＳ９）。
【００４２】
ここで、刺激付与後の視聴時間の偏りＥｐｏｓｔが、刺激付与前の視聴時間の偏りＥｐｒｅより小さい場合、与えた刺激が画面間の情報量の偏りを減少させたと推定する（ステップＳ１０）。逆に、刺激付与後の視聴時間の偏りＥｐｏｓｔが、刺激付与前の視聴時間の偏りＥｐｒｅより大きい場合、与えた刺激とは逆の方向の刺激（再生速度を上げる刺激を与えた場合は、再生速度を下げる方）が画面間の情報量の偏りを減少させると推定する（ステップＳ１１）。刺激反応推定部６は、推定した結果を情報処理部３に通知する（ステップＳ１２）。情報処理部３では、推定結果を基に、画面間の使用者Ｕが感じる情報量の差を減少させるように情報提示に反映させる。以上のような動作を繰り返し行うことで、各画面（表示装置）間の情報量の偏りを減らすことができる。
【００４３】
次に、図８のフローチャートを参照して、情報処理装置１の刺激付加部５による処理例を説明する。まず刺激付加部５は、刺激反応推定部６より刺激付加の指示があるか否かを判定する（ステップＳ２１）。刺激付加の指示があった場合、刺激付加部５は、リモコン装置１０からのリモコン信号などに基づいて設定内容を変更可能なレジスタ４から、刺激モードを取得する（ステップＳ２２）。レジスタ４から取得した刺激モードが「再生速度変換モード」の設定ならば、前述のように、刺激反応推定部６から指定された再生速度Ｖｓを取得して（ステップＳ２３）、レジスタ４にその再生速度Ｖｓを書き込みレジスタ値をＶｓに設定する（ステップＳ２４）。そして、情報処理部３で、当該画面（表示装置）に提示する情報の再生速度をＶｓに変化させる。
【００４４】
上記再生速度Ｖｓの値は、刺激反応推定部６からの刺激指示に基づいて、現在の再生速度より大きい速度、又は現在の再生速度より小さい速度となるか決定する。
【００４５】
刺激付加部５は、刺激反応推定部６から刺激解除の指示があるか否かを判定する（ステップＳ２５）。ここで、刺激解除の指示があった場合、当該表示装置へ出力する情報の再生速度を刺激前の状態に戻し（ステップＳ２６）、刺激を解除する。
【００４６】
なお、レジスタ４に保持されている他の刺激モードとしては、「輝度変換モード」「音量変換モード」「画面サイズ変換モード」などがある。例えば、ステップＳ２２の処理において、刺激付加部５が、レジスタ４から輝度変換モードを取得した場合、刺激反応推定部６から指定された輝度Ｂｓを取得して、レジスタ４にその輝度Ｂｓを書き込みレジスタ値をＢｓに設定する。そして、情報処理部３で、当該画面（表示装置）に提示する情報の輝度をＢｓに変化させる。輝度変換が終了したら、ステップＳ２５の処理に移行する。
【００４７】
同様に、刺激付加部５が、レジスタ４から音量変換モードを取得した場合、刺激反応推定部６から指定された音量Ｌｓを取得して、レジスタ４にその音量Ｌｓを書き込みレジスタ値をＬｓに設定する。そして、情報処理部３で、当該画面（表示装置）に提示する情報である再生映像の音量をＬｓに変化させる。音量変換が終了したら、ステップＳ２５の処理に移行する。
【００４８】
さらに、刺激付加部５が、レジスタ４から画面サイズ変換モードを取得した場合、刺激反応推定部６から指定された画面サイズＳｓを取得して、レジスタ４にその画面サイズＳｓを書き込みレジスタ値をＳｓに設定する。そして、情報処理部３で、当該画面（表示装置）に提示する情報の画面サイズをＳｓに変化させる。画面サイズ変換が終了したら、ステップＳ２５の処理に移行する。
【００４９】
次に、図９のフローチャートを参照して、情報処理装置１の情報処理部３による処理例を説明する。図９に示す例は、再生速度変換モードが設定されている場合の例としてある。まず情報処理部３は、目的の表示装置に提示する情報の内容を示す提示情報をレジスタ４から取得する（ステップＳ３１）。レジスタ４の保持内容に変更がないかどうかを確認する。例えば、前回提示した情報から内容の変更があったか否かを判定する（ステップＳ３２）。提示情報に変更があった場合には、情報蓄積部２に対し、提示する情報を出力するよう指示する（ステップＳ３３）し、提示情報に変更がなかった場合には、ステップＳ３４へ移行する。
【００５０】
次に、提示先情報、すなわち情報を提示すべき画面（表示装置）を示す情報を、レジスタ４から取得する（ステップＳ３４）。そして、前回から提示する先の画面に変更があったかどうかを判定する（ステップＳ３５）。提示先に変更があった場合には、情報処理部３内の図示しないスイッチャ（切り替え部）を切り替え（ステップＳ３６）、情報の提示先を変更し、提示先に変更がなかった場合には、ステップＳ３７へ移行する。
【００５１】
また、情報処理部３は、刺激反応推定部６から、使用者Ｕの内部状態についての推定結果が、届いたかどうかを判定する（ステップＳ３７）。推定結果が届いた場合、情報処理部３は、刺激を与えた方向と順方向で画面間の情報量の偏りＥが減少したか否かを判定する（ステップＳ３８）。画面間の情報量の偏りＥが減少しなかった場合には、現在の再生速度を、刺激を与えた逆の方向で情報量の偏りが減少する刺激（変数）を加えた再生速度に置換する(ステップＳ３９)。一方、画面間の情報量の偏りＥが減少した場合には、現在の再生速度を、刺激を与えた方向で情報量の偏りがさらに減少する刺激（変数）を加えた再生速度に置換する（ステップＳ４０）。そして、ステップＳ３９，Ｓ４０における変換後の再生速度を、レジスタ４に入力しレジスタ値を更新し（ステップＳ４１)、表示装置へ提示する情報の再生速度を変換する（ステップＳ４２）。
【００５２】
また、ステップＳ３７の判定処理において、情報処理部３に刺激反応推定部６からの推定結果が届いていない場合、情報の再生速度を、レジスタ４から取得する（ステップＳ４３）。そして、刺激付加部５から、前回提示したときの再生速度からの変更指示があったか否かを判定し（ステップＳ４４）、変更があった場合にはステップＳ４２へ移行し、変更がなかった場合には、一連の処理を終了する。
【００５３】
このように、図９の例では、情報処理部３は、レジスタ４の内容に変更がないかどうかを確認し、変更があった場合は、提示する情報、提示する先の表示装置、提示する再生速度等を更新する。また、情報処理部３は、刺激反応推定部６から推定結果が届いた場合には、受け取った推定結果に基づき、各画面間の情報量の偏りＥが減少するように、提示する情報の再生速度等を変化させる。
【００５４】
以上説明した本実施の形態の構成及び処理によると、表示装置（画面）の表示内容を一時的に変化させ、そのときの使用者Ｕの反応を取得することによって、使用者Ｕにとって適切な情報提示となるように、提示する情報量又は内容を調整することができる。
【００５５】
また、表示装置に提示する情報の情報量又は内容の変化に対する無意識の反応を取得するので、使用者Ｕに負担をかけないで、使用者Ｕの内部状態を推定することができる。
【００５６】
また、複数の表示装置（画面）を用いることによって、使用者Ｕの反応を取得しやすく、また解析しやすい反応に制限することができる。
【００５７】
なお、上述した実施の形態において、表示装置に提示する情報は映像でなくてもよく、静止画像やテロップ等の文字情報であってもよい。また、上述した実施の形態では、複数の表示装置を用いる場合について述べたが、例えば１つの表示装置の表示画面を複数の表示領域に分割し、分割した表示領域間における映像等の情報量の偏りを判別して再生速度等の変数及び当該変数が付与された再生速度等で表示する表示領域を決定してもよい。
【図面の簡単な説明】
【００５８】
【図１】本発明の一実施形態に係るシステムの概要を示す説明図である。
【図２】本発明の一実施形態に係るシステムの内部構成例を示すブロック図である。
【図３】本発明の一実施形態に係るシステムの説明図である。
【図４】本発明の一実施形態に係る２画面での視聴時間の偏りの関係例を示す説明図である。
【図５】本発明の一実施形態に係る再生速度と使用者にとっての情報量の関係例を示す説明図である。
【図６】本発明の一実施形態に係る刺激前後の反応の変化例を示す説明図である。
【図７】本発明の一実施形態に係る刺激反応推定部の処理例を示すフローチャートである。
【図８】本発明の一実施形態に係る刺激付加部の処理例を示すフローチャートである。
【図９】本発明の一実施形態に係る情報処理部の処理例を示すフローチャートである。
【符号の説明】
【００５９】
１…情報処理装置、２…情報蓄積部、３…情報処理部、４…レジスタ、５…刺激付加部、６…刺激反応推定部、７，７Ａ，７Ｂ…表示装置、８…反応取得装置、８Ａ…視線検出装置、９…リモコン
【図１】
0005070990.tif 000002
【図２】
0005070990.tif 000003
【図３】
0005070990.tif 000004
【図４】
0005070990.tif 000005
【図５】
0005070990.tif 000006
【図６】
0005070990.tif 000007
【図７】
0005070990.tif 000008
【図８】
0005070990.tif 000009
【図９】
0005070990.tif 000010